(57)【要約】【課題】様々な重汚損環境下に配置されている電線において、腐食による破断を防止し、また、電線に取り付ける際の結び力を強固なものとし、しかも、安価に付設することができる、電線落下防止用のロープを提供する。【解決手段】本発明は、複数の並行する非通電の暴露試験用の電線間に張設し、断線時の電線の垂れ下がりを防止するための電線落下防止用のロープであって、該ロープは、電線を延線する際に使用する、耐食性糸材を素材とした既存の延線ロープを用いる。また、ロープは、第１紐糸と第２紐糸と第３紐糸が三重螺旋状に編み込まれて成り、該ロープの結び目輪を、電線に沿って螺旋状に絡めた既設のプレフォームバインドに取り付けている。【選択図】図２
2012044763.tif 000002
【特許請求の範囲】
【請求項１】
複数の並行する暴露試験用の非通電の電線間に張設し、断線時の電線の垂れ下がりを防止する電線落下防止用のロープであって、該ロープは、電線を延線する際に使用する、耐食性糸材を素材とした既存の延線ロープを用いることを特徴とする電線落下防止用のロープ。
【請求項２】
ロープは、第１紐糸と第２紐糸と第３紐糸が三重螺旋状に編み込まれて成り、該ロープの結び目輪を、電線に沿って螺旋状に絡めた既設のプレフォームバインドに取り付けている請求項１に記載の電線落下防止用のロープ。
【請求項３】
結び目輪は、ロープをプレフォームバインドに架け通して折り返した後、架け通し前と折り返し後の第１紐糸、第２紐糸、第３紐糸相互を、六つ編み螺旋状となるように互いに絡ませながら撚ることにより形成されている請求項２に記載の電線落下防止用のロープ。
【請求項４】
暴露試験は、重汚損環境下における暴露試験であることを特徴とする請求項１に記載の電線落下防止用のロープ。
【発明の詳細な説明】
【技術分野】
【０００１】
本発明は、重汚損環境下において、非通電の暴露試験用電線の断線時における、電線の落下による公衆災害の発生を防止するための、電線落下防止用のロープに関するものである。
【背景技術】
【０００２】
従来において、雷害等による電線の断線や、不慮の事故や劣化による電線の断線が発生した時、充電されたまま電線が地上に落下し、感電事故等の人災が生じる懸念があった。このような電線の断線時の落下による公害・災害防止対策として、電線間支持ロープを取り付けたり、樹脂製のスペーサを配置する措置等が採られている。
【０００３】
電線間支持ロープは、例えば、図７に示すように、高強度のナイロン製による１本のロープ１００が使用される。具体的には、ロープ１００の両端部に設けられている、例えば、二重８の字結び等による結び目輪１０１を、電線（Ｑ１，Ｑ２）に沿って螺旋状に絡めている既設の巻き付けグリップ１０２に取り付けることで、並行に配置されている複数の電線間にロープ１００が張設されている。
【０００４】
また、従来の三相（Ｒ，Ｓ，Ｔ相）の電線Ｑ１，Ｑ２，Ｑ３へのスペーサの取り付けは、ＲＳ相間、ＳＴ相間のそれぞれに、スペーサを取り付けている。
【０００５】
この他、従来の電線間支持ロープとして、特許文献１に開示されているものが存在している。この電線間支持ロープは、図８に示すように、ポリアミド繊維またはポリエステル繊維によるロープ２００に、可撓性を維持し、耐トラッキング性に優れたＨＴＶシリコーン樹脂製のチューブ２０１を被せ、該チューブ２０１の両端内部にＲＴＶシリコーン樹脂２０２を注入し硬化させることにより形成されている。
【０００６】
そして、図９に示すように、ロープＰに形成している結び目輪２０３を、Ｒ相の電線Ｑ１、Ｓ相の電線Ｑ２、Ｔ相の電線Ｑ３に絡めている既設の巻き付けグリップ２０４にて取り付けて、これらの電線Ｑ１，Ｑ２，Ｑ３間にロープＰを張設している。
【０００７】
このとき、図９の一部拡大図に示すように、ロープＰが取り付けられる巻き付けグリップ２０４の部位は、若干外方へ拡げられた状態となり、この部位にロープＰの結び目輪２０３を取り付けて、複数のロープＰを、各電線Ｑ１，Ｑ２，Ｑ３に沿うようにして等間隔Ｌに取り付けている。
【先行技術文献】
【特許文献】
【０００８】
【特許文献１】特許第４１６０８１６号公報
【発明の概要】
【発明が解決しようとする課題】
【０００９】
しかしながら、図７に示す従来の電線間支持ロープは、ナイロン製であることから、電線が重汚染環境下に設置されている場合に、破断してしまう虞がある。
具体的には、電線が、例えば、火山帯地域、工場地帯、海岸線沿い、温泉地域等の重汚染環境下に設置されている場合、火山や工場から排出される二酸化炭素・亜硫酸ガス等による酸害、海からの塩害、温泉からの湿害・温害等により、ロープが腐食して、破断する虞が多分にあるのである。
【００１０】
また、スペーサが樹脂製のものであっても、酸害環境下においては、腐食による破損を避けることができない。
【００１１】
さらに、上記した従来による電線間支持ロープや樹脂製のスペーサ等は、非常に高価なものである。
【００１２】
この他、特許文献１に開示されている従来の電線間支持ロープは、ポリアミド繊維またはポリエステル繊維によるロープ２００に、ＨＴＶシリコーン樹脂製のチューブ２０１を被せ、該チューブ２０１の両端内部にＲＴＶシリコーン樹脂２０２を注入して硬化させており、構造が複雑で、非常に高価なものである。
【００１３】
加えて、二重８の字結び等による結び目輪では、その結び力が弱いため、ロープに掛かる引張荷重により、結び目輪が容易に解けてしまう虞がある。
【００１４】
そこで、本発明は如上のような従来存した諸事情に鑑み創出されたもので、様々な重汚損環境下に配置されている電線において、腐食による破断を防止し、また、電線に取り付ける際の結び力を強固なものとし、しかも、安価に付設することができる、電線落下防止用のロープを提供することを目的とする。
【課題を解決するための手段】
【００１５】
本発明は、複数の並行する暴露試験用の非通電の電線間に張設し、断線時の電線の垂れ下がりを防止する電線落下防止用のロープであって、該ロープは、電線を延線する際に使用する、耐食性糸材を素材とした既存の延線ロープを用いることで、上述した課題を解決した。
【００１６】
また、ロープは、第１紐糸と第２紐糸と第３紐糸が三重螺旋状に編み込まれて成り、該ロープの結び目輪を、電線に沿って螺旋状に絡めた既設のプレフォームバインドに取り付けていることで、同じく上述した課題を解決した。
【００１７】
さらに、結び目輪は、ロープをプレフォームバインドに架け通して折り返した後、架け通し前と折り返し後の第１紐糸、第２紐糸、第３紐糸相互を、六つ編み螺旋状となるように互いに絡ませながら撚ることにより形成されていることで、同じく上述した課題を解決した。
【００１８】
また、暴露試験は、重汚損環境下における暴露試験であることで、同じく上述した課題を解決した。
【発明の効果】
【００１９】
本発明は、複数の並行する暴露試験用の非通電の電線間に張設し、断線時の電線の垂れ下がりを防止する電線落下防止用のロープであって、該ロープは、電線を延線する際に使用する、耐食性糸材を素材とした既存の延線ロープを用いることから、例えば、酸害、塩害、湿害・温害等の重汚損環境下に配置された場合であっても、ロープの腐食による破断を確実に防止することができる。
【００２０】
また、従来の電線間支持ロープや樹脂製のスペーサ、また、特許文献１に開示されている従来の電線間支持ロープ等に比べて、約半分程度の費用で安価に付設することができる。
【００２１】
さらに、ロープは、第１紐糸と第２紐糸と第３紐糸が三重螺旋状に編み込まれて成り、該ロープの結び目輪を、電線に沿って螺旋状に絡めた既設のプレフォームバインドに取り付けていることから、電線間に簡単に付設することができる。
【００２２】
また、結び目輪は、ロープをプレフォームバインドに架け通して折り返した後、架け通し前と折り返し後の第１紐糸、第２紐糸、第３紐糸相互を、六つ編み螺旋状となるように互いに絡ませさせながら撚ることにより形成されていることから、電線間に付設する際の結び力を強固にすることができる。
【００２３】
即ち、ロープＰに引張荷重が掛かることで、六つ編み螺旋状の交差部分が窄まり、紐糸同士が互いに強く絡みあって、引張荷重が大きくなればなる程、その結び力が強固になる。
【００２４】
また、暴露試験は、重汚損環境下における暴露試験であるので、重汚損環境下であっても、ロープの腐食による破断を確実に防止することができ、これによって、断線時の電線の垂れ下がりを防止しながら、暴露試験を継続して実施することができる。
【図面の簡単な説明】
【００２５】
【図１】電線落下防止用のロープの使用状態を示す正面図である。
【図２】電線落下防止用のロープの使用状態を示す側面図である。
【図３】電線落下防止用のロープの使用状態を示す斜視図である。
【図４】薩摩編みの具体例を示すもので、折り返したロープの先端部分を解した状態の斜視図である。
【図５】薩摩編みの具体例を示すもので、折り返したロープの先端部分を、元のロープに編み込んでいる状態の斜視図である。
【図６】薩摩編みの具体例を示すもので、編み込みを完了した状態の斜視図である。
【図７】従来の電線間支持ロープの使用状態を示す正面図である。
【図８】従来の電線間支持ロープの構成を示す断面図である。
【図９】従来の電線間支持ロープの使用状態を示す一部拡大の斜視図である。
【発明を実施するための形態】
【００２６】
以下に、図面を参照して、本発明を実施するための形態を詳細に説明する。
【００２７】
本発明に係る電線落下防止用のロープＰは、例えば、図３に示すように、鉄塔Ｒ、Ｒ間において、並行となるように架設された、主として非通電の暴露試験用の四相の電線（Ｑ１，Ｑ２，Ｑ３，Ｑ４）に取り付けられるものである。
【００２８】
このロープＰは、鉄塔Ｒ、Ｒ間に電線を延線する際に使用される、耐食性糸材を素材とした既存の延線ロープを使用している。
【００２９】
電線落下防止用のロープＰを、図３に示すように、暴露試験用の四相の電線（Ｑ１，Ｑ２，Ｑ３，Ｑ４）に取り付ける場合、張設したロープＰ間の電線の長さ方向の距離Ｌ（図３参照）が、少なくとも電線（Ｑ１，Ｑ２，Ｑ３，Ｑ４）から地上までの距離よりも短い距離となるようにしている。
【００３０】
これにより、いずれかの電線Ｑ１（Ｑ２，Ｑ３，Ｑ４）が断線した場合であっても、他の電線（Ｑ２，Ｑ３，Ｑ４）に結びつけられているロープＰにより支持されるため、断線した電線Ｑ１の破断部が、地上にいる人の位置まで到達しないようにしている。
【００３１】
このロープＰは、図１に示すように、第１紐糸Ｐ１と第２紐糸Ｐ２と第３紐糸Ｐ３が、三重螺旋状に撚られた状態に編み込まれている。
【００３２】
そして、ロープＰの両端部に、後述する薩摩編みにより形成される結び目輪１を介して、電線（Ｑ１，Ｑ２，Ｑ３，Ｑ４）に沿って螺旋状に絡めている既設のプレフォームバインド２に、ロープＰの各端部が固定される。
【００３３】
このプレフォームバインドは、３本に束ねたバインド線を、所定の螺旋間隔ピッチで、電線（Ｑ１，Ｑ２，Ｑ３，Ｑ４）に予め巻き付けておく。
【００３４】
具体的には、図２に示すように、電線（Ｑ１，Ｑ２，Ｑ３，Ｑ４）に沿って螺旋状に絡めている既設のプレフォームバインド２の所定の位置において、３本に束ねたバインド線のうちの両側２本を、それぞれ上下方向に若干拡げて、電線（Ｑ１，Ｑ２，Ｑ３，Ｑ４）との間に隙間を形成しておき、ロープＰの端部側の所定長さ部分をこの隙間に架け通して略Ｕ字状に折り返す。
【００３５】
そして、図４に示すように、このＵ字状に折り曲げたロープＰの先端側からＵ字折り曲げ位置にかけて、第１紐糸Ｐ１と第２紐糸Ｐ２と第３紐糸Ｐ３のそれぞれを一旦解しておく。
【００３６】
次に、図５および図６に示すように、これらの第１紐糸Ｐ１と第２紐糸Ｐ２と第３紐糸Ｐ３のそれぞれを、Ｕ字折り曲げ位置から基端側に存在する第１紐糸Ｐ１、第２紐糸Ｐ２、第３紐糸Ｐ３相互の撚り部分を若干拡げながら交互に潜らせて、略六つ編み螺旋状となるように互いに絡ませながら撚る状態にした、所謂薩摩編みにする。
【００３７】
このようにして、図２に示すように、結び目輪１がプレフォームバインド２を跨ぐように取り付けられ、電線Ｑ１と電線Ｑ２、電線Ｑ２と電線Ｑ３、電線Ｑ３と電線Ｑ４のそれぞれの間に、３本のロープＰが略縦１列となるように付設される。
【００３８】
尚、本発明は、前記した実施の形態に限定されるものではなく、本発明の目的を達成できる範囲での改良・変形等は、全て本発明に包含されるものである。
【産業上の利用可能性】
【００３９】
本発明に係る電線落下防止用のロープは、重汚損環境下において、暴露試験用電線の断線時における、電線の落下による公衆災害の発生を防止するため使用する他に、種々の電線の断線による落下を防止するロープとして、幅広く利用することができる。
【符号の説明】
【００４０】
Ｐ…ロープ
Ｐ１…第１紐糸
Ｐ２…第２紐糸
Ｐ３…第２紐糸
Ｑ１…電線
Ｑ２…電線
Ｑ３…電線
Ｑ４…電線
Ｒ…鉄塔
１…結び目輪
２…プレフォームバインド
【図１】
2012044763.tif 000003
【図２】
2012044763.tif 000004
【図３】
2012044763.tif 000005
【図４】
2012044763.tif 000006
【図５】
2012044763.tif 000007
【図６】
2012044763.tif 000008
【図７】
2012044763.tif 000009
【図８】
2012044763.tif 000010
【図９】
2012044763.tif 000011